(57)【特許請求の範囲】
【請求項１】
エレベーター昇降路の内部に配置され、作業者の乗り場となる踏み面と、前記踏み面を支持する支持梁とを備えるエレベーター機器用点検台において、
前記支持梁は、第１の支持梁と第２の支持梁とに分割され、前記第１の支持梁は、３本の梁で形成され、前記第２の支持梁に向かって開口する中空部を有するコの字型の形状であり、前記第２の支持梁は、少なくとも一部が前記第１の支持梁の前記中空部に入り込むことが可能であり、
前記第１の支持梁と前記第２の支持梁のうち少なくとも一方は、第２の支持梁の少なくとも一部が前記第１の支持梁の前記中空部に入り込むように、水平方向にスライド可能であり、
前記踏み面は、前記第１の支持梁に支持される第１の踏み面と、前記第２の支持梁に支持される第２の踏み面とに分割され、
前記第１の踏み面と前記第２の踏み面は、前記第１の支持梁と前記第２の支持梁のうち少なくとも一方が水平方向にスライドするのに伴って重なり合うことが可能なように、鉛直方向の位置が互いに異なる、
ことを特徴とするエレベーター機器用点検台。
【請求項２】
エレベーター昇降路の内部に配置され、作業者の乗り場となる踏み面と、前記踏み面を支持する支持梁とを備えるエレベーター機器用点検台において、
前記支持梁は、前記昇降路に固定された支点軸に設けられ、少なくとも一方が前記支点軸に沿ってスライド可能な第１の支持梁と第２の支持梁とに分割され、
前記第１の支持梁は、３本の梁で形成され、前記第２の支持梁に向かって前記支点軸に沿って開口する中空部を有するコの字型の形状であり、前記中空部の前記支点軸に垂直な方向の長さが、前記第２の支持梁の前記支点軸に垂直な方向の長さ以上であり、
前記踏み面は、前記第１の支持梁に支持される第１の踏み面と、前記第２の支持梁に支持される第２の踏み面とに分割され、
前記第１の踏み面と前記第２の踏み面は、鉛直方向の位置が互いに異なる、
ことを特徴とするエレベーター機器用点検台。
【請求項３】
請求項２記載のエレベーター機器用点検台において、
前記第１の踏み面と前記第２の踏み面は、鉛直方向において、一方の踏み面の上面の位置と他方の踏み面の下面の位置とが等しいエレベーター機器用点検台。
【請求項４】
エレベーター昇降路の内部に配置され、作業者の乗り場となる踏み面と、前記踏み面を支持する支持梁とを備えるエレベーター機器用点検台において、
前記支持梁は、少なくとも一方が水平方向にスライド可能な第１の支持梁と第２の支持梁とに分割され、
前記第１の支持梁は、３本の梁で形成され、前記第２の支持梁に向かって開口する中空部を有するコの字型の形状であり、前記第２の支持梁は、少なくとも一部が前記第１の支持梁の前記中空部に入り込んでおり、
前記踏み面は、前記第１の支持梁に支持される第１の踏み面と、前記第２の支持梁に支持される第２の踏み面とに分割され、
前記第１の踏み面と前記第２の踏み面は、重なり合っている、
ことを特徴とするエレベーター機器用点検台。
【請求項５】
請求項１から４のいずれか１項記載のエレベーター機器用点検台において、
前記第１の支持梁と前記第２の支持梁のうち、一方のみがスライド可能であるエレベーター機器用点検台。
【発明の詳細な説明】
【技術分野】
【０００１】
本発明は、エレベーター機器用の点検台に関する。
【背景技術】
【０００２】
エレベーターを安全に運行するためには、エレベーター機器を定期的に点検する必要がある。エレベーター機器が、エレベーター昇降路の最下階にあるピットの床面から点検作業者の手が届かない高さの位置に配置された場合、これを安全かつ効率的に点検するための点検作業台が必要となる。この点検作業台は、昇降路内を運行するエレベーターの乗りかごとの接触を避けるため、点検時以外はエレベーターの乗りかごの昇降ルートと重ならないように収納する必要がある。また、作業者がピットに入り込んでいる間は、安全確保のためエレベーターの運転を休止する必要がある。しかし、長時間の運転休止はエレベーターの利用者の利便性を著しく損なうため、点検台をピットに常設させて、点検作業時間を極力低減することが望ましい。
【０００３】
これらの背景の下、特許文献１には、収納する際に点検台の床と手摺りを折りたたんで鉛直姿勢とすることで、昇降路内に配置される機器との干渉が生じない点検台が開示されている。また、特許文献２には、点検台を乗り場の床下に形成した収納スペースに収納することで、作業の安全性と効率を向上させることができる点検台が開示されている。
【先行技術文献】
【特許文献】
【０００４】
【特許文献１】特開２００５−１８７０８７号公報
【特許文献２】特開平８−９９７８１号公報
【発明の概要】
【発明が解決しようとする課題】
【０００５】
特許文献１に開示されている従来の点検台では、収納のために点検台の床と手摺りを折りたたんで鉛直姿勢とする際に、点検台の幅（水平方向の長さ）と同じ幅の収納スペースが必要となる。
【０００６】
エレベーターにおいて、昇降路の寸法、とりわけ平面寸法は、商品価値を決める一要因であり、点検台の収納スペースのために昇降路の寸法を大きくするのは本意でない。そのうえ、近年では、耐震基準が見直され厳しくなってきたことから昇降路内に補強部材が配置され、点検台の収納スペースは益々縮小傾向にある。場合によっては、特許文献１に開示された点検台が必要とする収納スペース（特に幅方向の収納スペース）に補強部材が設置されることもある。このため、補強部材を避けて、より小さな収納スペースへ収納可能な点検台が要求されている。
【０００７】
特許文献２に開示されている従来の点検台では、上記の補強部材の影響は受けにくい。しかし、点検台の収納スペースを建屋内の乗り場の床下に設けるため、大掛かりな構造でありコストがかかる点、既存のエレベーターに設置するのが困難である点、また、建屋を所持するオーナーの理解を得る必要がある点など、実現するためにはいくつかの課題を抱えている。
【０００８】
本発明は、前述した従来技術における実情を鑑みてなされたものであり、その目的は、小さな収納スペース、特に幅方向（水平方向）が小さい収納スペースへ収納可能な、エレベーター機器用点検台を提供することである。
【課題を解決するための手段】
【０００９】
本発明によるエレベーター機器用点検台は、次のような特徴を有する。
【００１０】
エレベーター昇降路の内部に配置され、作業者の乗り場となる踏み面と、前記踏み面を支持する支持梁とを備えるエレベーター機器用点検台において、前記支持梁は、第１の支持梁と第２の支持梁とに分割される。前記第１の支持梁は、前記第２の支持梁に向かって開口する中空部を有し、前記第２の支持梁は、少なくとも一部が前記第１の支持梁の中空部に入り込むことが可能である。前記第１の支持梁と前記第２の支持梁のうち少なくとも一方は、第２の支持梁の少なくとも一部が前記第１の支持梁の中空部に入り込むように、水平方向にスライド可能である。前記踏み面は、前記第１の支持梁に支持される第１の踏み面と、前記第２の支持梁に支持される第２の踏み面とに分割される。前記第１の踏み面と前記第２の踏み面は、前記第１の支持梁と前記第２の支持梁のうち少なくとも一方が水平方向にスライドするのに伴って重なり合うことが可能なように、鉛直方向の位置が互いに異なる。
【発明の効果】
【００１１】
本発明によるエレベーター機器用点検台は、小さな収納スペース、特に幅方向（水平方向）が小さい収納スペースへ収納可能である。従って、従来の点検台が必要とする収納スペースを縮小したり収納スペースに補強部材を設置したりしても、本発明による点検台は、容易に収納が可能である。
【図面の簡単な説明】
【００１２】
【図１】従来技術によるエレベーター機器用点検台の点検時の略式側面図である。
【図２】従来技術によるエレベーター機器用点検台の点検時の略式正面図である。
【図３】本実施形態例によるエレベーター機器用点検台の点検時の全体構成を示す正面図である。
【図４】本実施形態例によるエレベーター機器用点検台の点検時の支持梁を示す平面図である。
【図５】本実施形態例によるエレベーター機器用点検台の踏み面の構成を示す略式平面図である。
【図６】図５に示した踏み面の断面図であり、図５におけるＡ−Ａ断面を示している。
【図７】本実施形態例によるエレベーター機器用点検台の幅を縮小した状態の全体構成を示す正面図である。
【図８】本実施形態例によるエレベーター機器用点検台の幅を縮小した状態の支持梁を示す平面図である。
【図９】本実施形態例によるエレベーター機器用点検台の幅を縮小した状態の全体構成を示す正面図であり、左側の支持梁と右側の支持梁をスライドさせて幅を縮小した状態を示す図である。
【図１０】本実施形態例によるエレベーター機器用点検台の幅を縮小した状態の支持梁を示す平面図であり、左側の支持梁と右側の支持梁をスライドさせて幅を縮小した状態を示す図である。
【発明を実施するための形態】
【００１３】
以下の説明では、エレベーターの昇降方向を「鉛直方向」と称し、鉛直方向に垂直な方向を「水平方向」と称する。また、水平方向のうち、エレベーター機器用点検台が設置されるエレベーター昇降路の壁面に平行な方向を「幅方向」と称し、幅方向の長さを「幅」と称する。
【００１４】
本発明によるエレベーター機器用点検台は、作業者の乗り場となる踏み面が、点検時には水平方向を向く水平姿勢を取り、収納時には鉛直方向を向く鉛直姿勢を取ることで、昇降路内に配置される機器との干渉が生じない。さらに、幅方向の収納スペースが小さい場合や補強部材などの収納を妨げる物体が存在する場合でも、点検時と収納時とで点検台の幅を変更することで、容易に収納が可能である。点検台は、収納時の鉛直姿勢と点検時の水平姿勢との間で回動可能であり、収納時には、点検時と比較して、点検台の幅を最大で半減させることが可能な構造を有する。従って、収納スペースを最大で半減させることができる。また、既存のエレベーターに設置するのが容易であり、建屋に影響を及ぼすことなく設置可能である。
【００１５】
まず、従来技術によるエレベーター機器用点検台の例を、図１と図２を用いて説明する。
【００１６】
図１と図２は、従来技術によるエレベーター機器用点検台の例を示す図であり、図１は点検時の略式側面図であり、図２は点検時の略式正面図である。なお、図１には、点検台を、点検時の水平姿勢から回動させて収納時の鉛直姿勢にする様子が、図中の矢印で表されている。
【００１７】
図１と図２に示すように、エレベーター機器用点検台は、エレベーター昇降路１内に設置される。エレベーター昇降路１内の壁面は、図１では左側に存在し、図２では点検台の奥側（紙面の向こう側）に存在する。図２では、壁面の図示を省略している。
【００１８】
エレベーター昇降路１内の壁面には、点検対象であり、エレベーターを運行するために必要なエレベーター機器２が設置され、エレベーター機器２の鉛直方向の下方には、エレベーター機器用点検台を支持するベース部３が設置されている。また、エレベーター昇降路１内には、補強部材などの部材１１が設置されているものとする。
【００１９】
エレベーター機器用点検台は、支持梁５と、作業者の乗り場となる踏み面６と、手摺り７と、左右の支柱９と、保持軸１０とを備える。支持梁５は、ベース部３に固定された支点軸４を中心にして、鉛直姿勢（鉛直方向を向く姿勢）から水平姿勢（水平方向を向く姿勢）の間で回動可能に設けられる。踏み面６は、支持梁５の上面に取り付けられて支持梁５に支持され、鉛直姿勢（鉛直方向を向く姿勢）と水平姿勢（水平方向を向く姿勢）を取ることができる。手摺り７は、作業者の落下防止のために設けられており、踏み面６に回動可能に取り付けられ、踏み面６に対して点検時には垂直となり収納時には水平となる。支柱９は、エレベーター機器２の上方に設けられた支柱回転軸８を中心に回動可能であり、点検時に支持梁５を水平姿勢に保持する。保持軸１０は、点検時に支持梁５と支柱９を貫通し、支持梁５と支柱９を連結する。
【００２０】
ここで、エレベーター機器用点検台を、点検時の状態、すなわち支持梁５および踏み面６が水平姿勢である状態から、収納時の状態、すなわち支持梁５および踏み面６が鉛直姿勢である状態に変えて収納する（図１中の矢印のように回動させて点検台を収納する）ことを考える。支持梁５と支柱９から保持軸１０を外して支持梁５と支柱９の連結を解除し、支持梁５および踏み面６を回動させて鉛直姿勢にする。この際、エレベーター昇降路１内の部材１１が支持梁５の回動経路に存在する場合には、支持梁５と部材１１は干渉部１２において干渉する。このため、点検台は鉛直姿勢での収納ができない。図２に示すように、点検台の収納可能スペースは、部材１１の存在のために、スペース１３の範囲に限定されている。
【００２１】
本発明によるエレベーター機器用点検台は、このような状況において、支持梁５および踏み面６の幅を縮小させることで、収納可能スペース１３の範囲に収納可能である。
【００２２】
以下、本発明によるエレベーター機器用点検台の実施形態例を、図３〜図１０を用いて説明する。なお、本実施形態例によるエレベーター機器用点検台は、図１と図２に示した点検台と比較して、点検台の幅が縮小可能であることのみが異なり、その他の構成は同一である。従って、本実施形態例では、点検台の幅を縮小させることについてのみ説明し、図１および図２と同一の構成についての説明は省略する。また、図３〜図１０において、図１および図２と同一の符号は図１および図２と同一の構成要素を示し、図の左右方向が幅方向である。
【００２３】
図３は、本実施形態例によるエレベーター機器用点検台の全体構成を示す正面図であり、点検時の状態を示している。図３において、エレベーター昇降路１内の壁面は、点検台の奥側（紙面の向こう側）に存在する。点検台は、図１と図２では手摺り７を備えるが、本実施形態例では、手摺りの代わりにチェーン１８を備える。チェーン１８は、左側の手摺り７１と右側の手摺り７２に固定され、点検台の背面手摺りとなる。
【００２４】
図４は、本実施形態例によるエレベーター機器用点検台の支持梁を示す平面図であり、点検時の状態を示している。図４において、エレベーター昇降路１内の壁面は、上側に存在する。
【００２５】
図３と図４を用いて、支持梁について説明する。支持梁は、大きく分けて２つの部分、すなわち左側の支持梁５１と右側の支持梁５２とに分割される構造とする。図４に示すように、左側の支持梁５１は、左側の垂直梁５１１と２本の左側の平行梁５１２とを有し、右側の支持梁５２は、右側の垂直梁５２１と２本の右側の平行梁５２２と中央垂直梁５２３とを有する。左側の支持梁５１は、コの字型であり、右側の支持梁５２に向かって開口する中空部を有する形状である。
【００２６】
左側の垂直梁５１１と右側の垂直梁５２１は、ともに、支点軸４を中心に回動可能で、支点軸４に垂直に設けられる。なお、支点軸４はベース部３（図１参照）に固定されているが、支点軸４とエレベーター昇降路１内の壁面の間隔は、図１に示した間隔よりも広くしてもよい。
【００２７】
２本の左側の平行梁５１２と２本の右側の平行梁５２２は、それぞれ、上面と側面（正面または奥側の面）とからなる断面がＬ型の形状である。２本の左側の平行梁５１２は、左側の垂直梁５１１に垂直に溶接固定され、２本の右側の平行梁５２２は、右側の垂直梁５２１に垂直に溶接固定される。それぞれの平行梁５１２、５２２は、ともに支点軸４と平行に設けられ、２本の左側の平行梁５１２の間隔は、２本の右側の平行梁５２２の間隔以上であるとする。すなわち、左側の支持梁５１は、右側の支持梁５２に向かって開口する中空部の支点軸４に垂直な方向の長さが、右側の支持梁５２の支点軸４に垂直な方向の長さ以上である。
【００２８】
また、図４に示すように、２本の左側の平行梁５１２の内側に、２本の右側の平行梁５２２が入り込む形状となっている。すなわち、右側の支持梁５２は、一部または全部が左側の支持梁５１の中空部に入り込むことができる。左側の平行梁５１２と右側の平行梁５２２は、互いに接しており、互いの間に隙間が生じないように配置するのが好ましい。
【００２９】
中央垂直梁５２３は、２本の右側の平行梁５２２の間に、２本の右側の平行梁５２２に垂直に溶接固定され、右側の垂直梁５２１と対向するように設けられる。中央垂直梁５２３も、２本の左側の平行梁５１２の内側に入り込むことができる。
【００３０】
ここで、左側の垂直梁５１１は、支点軸４に溶接固定されている。一方、右側の垂直梁５２１と中央垂直梁５２３は、丸穴を有し、この丸穴に支点軸４が貫通しており、支点軸４に沿って幅方向（図３、図４の左右方向）にスライドが可能である。
【００３１】
また、中央垂直梁５２３は、長さ方向（図４の上下方向）の中心に対して支点軸４と対称となる位置に、保持軸１０が貫通する構造とする。保持軸１０は、支点軸４と同様に、左側の垂直梁５１１、中央垂直梁５２３、および右側の垂直梁５２１を貫通する。ただし、支点軸４と異なり、左側の垂直梁５１１には溶接固定されていない。
【００３２】
保持軸１０は、一端に六角頭を持ち、他端に短いねじ部分を有するボルト状とする。支柱９の先端に設けた穴に保持軸１０を貫通させ、保持軸１０のねじ部分の終端まで保持軸ナット１６を締め込むことで、支持梁５と支柱９を連結することができる。
【００３３】
２本の左側の平行梁５１２には、ボルト１４が溶接固定されている。ボルト１４は、右側の平行梁５２２に設けられた長穴１５を介して、固定用ナット１７で強固に固定されている。固定用ナット１７を緩めることで、右側の支持梁５２は、左側の支持梁５１に対して、長穴１５をガイドとして幅方向（図３、図４の左右方向）のスライドが可能となる。従って、右側の支持梁５２を左側の支持梁５１に向けてスライドさせていき、右側の支持梁５２の一部または全部を左側の支持梁５１の中空部に入り込ませることができる。
【００３４】
次に、踏み面について説明する。踏み面は、２つの部分、すなわち左側の踏み面６１と右側の踏み面６２とに分割される構造とする（図３）。左側の踏み面６１は、左側の支持梁５１の上面に取り付けられ、右側の踏み面６２は、右側の支持梁５２の上面に取り付けられる。
【００３５】
図５は、本実施形態例によるエレベーター機器用点検台の踏み面の構成を示す略式平面図である。図６は、図５に示した踏み面の断面図であり、図５におけるＡ−Ａ断面を示している。図６に示すように、左側の踏み面６１と右側の踏み面６２には、鉛直方向（図６の上下方向）に縁が設けられている。なお、理解の助けになるように、図５と図６では踏み面（縁も含む）の板厚を誇張して厚く描いており、図６には左側の垂直梁５１１、左側の平行梁５１２、右側の垂直梁５２１、および右側の平行梁５２２も記載している。
【００３６】
図５に示すように、左側の踏み面６１は、右側の踏み面６２より奥行き方向（図５の上下方向）の長さが短くなっている。さらに、図６に示すように、左側の踏み面６１と右側の踏み面６２とが重なることができるように、左側の踏み面６１と右側の踏み面６２は、鉛直方向の位置が互いに異なるように配置する。例えば、左側の踏み面６１の下面の位置が、右側の踏み面６２の上面の位置よりも、鉛直方向において上方になるように配置する。好ましくは、左側の踏み面６１の下面の位置と右側の踏み面６２の上面の位置とが、鉛直方向において等しくなるように配置する。このような形状と配置により、右側の支持梁５２がスライドして左側の支持梁５１の内側に入り込んだとき、右側の踏み面６２の縁の内側に左側の踏み面６１の縁が入り込んで（図５を参照）、右側の踏み面６２と左側の踏み面６１とが重なり合うことができる。
【００３７】
なお、実際には、左側の踏み面６１と右側の踏み面６２の板厚は数ｍｍである。このため、図６における左側の踏み面６１と右側の踏み面６２との段差（鉛直方向の位置の差）は、作業者がつまずかない程度のものであり、安全性に問題はない。
【００３８】
以上の踏み面の構成を踏まえ、図３と図６に示すように、右側の支持梁５２において、垂直梁５２１と平行梁５２２の上面は、同一の高さに位置する面である。一方、左側の支持梁５１においては、垂直梁５１１と平行梁５１２の上面には高さ方向の位置に差を設け、左側の踏み面６１と右側の踏み面６２とに段差を設けている。
【００３９】
図７と図８を用いて、本実施形態例によるエレベーター機器用点検台において、収納時に幅を縮小した状態を説明する。図７は、本実施形態例によるエレベーター機器用点検台の全体構成を示す正面図であり、収納時に幅を縮小した状態を示している。図８は、本実施形態例によるエレベーター機器用点検台の支持梁を示す平面図であり、収納時に幅を縮小した状態を示している。なお、保持軸１０は、幅を縮小する前に、保持軸ナット１６を外し、左側の垂直梁５１１、中央垂直梁５２３、右側の垂直梁５２１、および左右の支柱９から外しておく。
【００４０】
図７と図８に示すように、左側の垂直梁５１１と中央垂直梁５２３とが接する状態まで、または左側の平行梁５１２と右側の垂直梁５２１とが接する状態まで、右側の支持梁５２を左側の支持梁５１に向かって、支点軸４に沿って幅方向にスライドさせることが可能であり、点検台の幅をおよそ半減することができる。この状態で固定用ナット１７をボルト１４に強固に締め込むことで、収納時に自動的に点検台の幅が広がることを防止できる。
【００４１】
右側の支持梁５２を、左側の垂直梁５１１と中央垂直梁５２３とが接する状態、または左側の平行梁５１２と右側の垂直梁５２１とが接する状態までスライドさせずに、途中でスライドをやめて収納してもよい。このように、本実施形態例による点検台は、収納スペースの大きさに応じて点検台の幅を縮小することができる。点検台の幅は、最大で半減できるが、必ずしも常に半減しなくてもよい。
【００４２】
また、点検台の背面手摺りがチェーン１８で構成されているので、点検台の幅を縮小してもチェーン１８のたわみが増すだけであり、収納の邪魔にはならない。なお、本実施形態例によるエレベーター機器用点検台では、背面手摺りは、エレベーター機器２に作業者が対面したときに、点検台の背面端が分かるよう注意喚起のため設置しているものである。従って、チェーンによる構成で充分に背面手摺りとしての要件を満たす。
【００４３】
本実施形態例によるエレベーター機器用点検台において、収納時の状態から点検時の状態へ変更する手順の一例を示す。前述したように、支持梁５および踏み面６は、収納時では鉛直姿勢であり、点検時では水平姿勢である。
【００４４】
鉛直姿勢となっている支持梁５を、支点軸４を中心に回動させて持上げ、左側の垂直梁５１１、中央垂直梁５２３、右側の垂直梁５２１、および左右の支柱９に保持軸１０を通す。保持軸１０の六角頭と反対側に設けたねじ部分に保持軸ナット１６を取り付けて、支持梁５を水平姿勢に保持する。固定用ナット１７を緩め、ボルト１４が長穴１５の左端に位置するまで右側の支持梁５２を右側にスライドさせて、点検台の幅を広げる。この後、ボルト１４に固定用ナット１７を強固に締め付けることによって、図３に示した点検時の状態となる。
【００４５】
なお、支点軸４および保持軸１０は、踏み面６に作業者が乗り込んだ際に充分な強度を有する部材を用いる。これにより、連結される左側の垂直梁５１１、中央垂直梁５２３、および右側の垂直梁５２１から成る枠体が強固なものとなり、支持梁５の上面に固定される踏み面６の強度が保障される。
【００４６】
このように構成されたエレベーター機器用点検台によれば、点検時と収納時とで幅方向の長さを変更することで収納スペースを減少させることが可能であり、従来の点検台が必要とする収納スペースに補強部材などの収納を妨げる物体が存在する場合においても、建屋に影響を及ぼすことなく、容易に点検台の収納が可能である。
【００４７】
さらに、点検台の幅を変更する作業は、保持軸１０と保持軸ナット１６の脱着と、固定用ナット１７の締緩と、右側の支持梁５２のスライドだけでよく、容易に幅の変更が可能である。
【００４８】
以上の実施例では、左側の垂直梁５１１が支点軸４に溶接固定されており、右側の支持梁５２をスライドさせて点検台の幅を変更していた。点検台の幅を変更する方法は、これだけに限らない。例えば、右側の垂直梁５２１を支点軸４に溶接固定し、左側の垂直梁５１１を支点軸４に固定せずに、左側の支持梁５１をスライドさせて点検台の幅を変更してもよい。また、左側の垂直梁５１１と右側の垂直梁５２１の両方を支点軸４に固定せず、左側の支持梁５１と右側の支持梁５２の２つをスライドさせて点検台の幅を変更してもよい。すなわち、左側の支持梁５１を右側に向かってスライドさせ、右側の支持梁５２の左側に向かってスライドさせて、点検台の幅を変更してもよい。
【００４９】
図９と図１０は、本実施形態例によるエレベーター機器用点検台で、左側の支持梁５１と右側の支持梁５２をスライドさせて幅を縮小した状態を示している。図９は、エレベーター機器用点検台の全体構成を示す正面図であり、図１０は、エレベーター機器用点検台の支持梁を示す平面図である。図９と図１０において、図の左右方向が幅方向である。図７と図８に示した例では、点検台の幅方向の一方（紙面に向かって左側）の位置において、左側の踏み面６１と右側の踏み面６２とを重ねて、点検台を収納していた。図９と図１０に示す例では、点検台の幅方向の中央付近の位置において、左側の踏み面６１と右側の踏み面６２とを重ねて、点検台を収納している。
【００５０】
図７〜図１０に示したように、本実施形態例によるエレベーター機器用点検台では、左側の踏み面６１と右側の踏み面６２とを重ねて点検台を収納する位置（幅方向の位置）を、支点軸４の存在する範囲において任意に選択することができる。従って、点検台の収納スペースの形状・大きさや補強部材などの収納を妨げる物体の存在位置に応じて、点検台を収納する位置を任意に変えることができるという利点がある。
【００５１】
また、図４では、２本の左側の平行梁５１２の間隔が、２本の右側の平行梁５２２の間隔より大きく、２本の左側の平行梁５１２の内側に、２本の右側の平行梁５２２が入り込む形状を示したが、支持梁５の形状は、この形状だけに限られない。例えば、２本の右側の平行梁５２２の間隔が、２本の左側の平行梁５１２の間隔より大きく、２本の右側の平行梁５２２の内側に、２本の左側の平行梁５１２が入り込む形状であってもよい。
【００５２】
また、図６では、左側の踏み面６１が右側の踏み面６２の上面に重なり、右側の踏み面６２の内側に左側の踏み面６１が入り込む形状を示したが、踏み面６の形状は、この形状だけに限られない。例えば、右側の踏み面６２が左側の踏み面６１の上面に重なり、左側の踏み面６１の内側に右側の踏み面６２が入り込む形状であってもよい。
【００５３】
このように、左側の支持梁５１と右側の支持梁５２のうちスライドする支持梁、左側の支持梁５１と右側の支持梁５２の大小関係、および左側の踏み面６１と右側の踏み面６２の大小関係（上下関係）は、任意に選択することができ、これらの組み合わせも任意に選ぶことができる。
【符号の説明】
【００５４】
１…エレベーター昇降路、２…エレベーター機器、３…ベース部、４…支点軸、５…支持梁、５１…左側の支持梁、５１１…左側の垂直梁、５１２…左側の平行梁、５２…右側の支持梁、５２１…右側の垂直梁、５２２…右側の平行梁、５２３…中央垂直梁、６…踏み面、６１…左側の踏み面、６２…右側の踏み面、７…手摺り、７１…左側の手摺り、７２…右側の手摺り、８…支柱回転軸、９…支柱、１０…保持軸、１１…部材、１２…干渉部、１３…収納可能スペース、１４…ボルト、１５…長穴、１６…保持軸ナット、１７…固定用ナット、１８…チェーン。
【図１】
0005863543.tif 000002
【図２】
0005863543.tif 000003
【図３】
0005863543.tif 000004
【図４】
0005863543.tif 000005
【図５】
0005863543.tif 000006
【図６】
0005863543.tif 000007
【図７】
0005863543.tif 000008
【図８】
0005863543.tif 000009
【図９】
0005863543.tif 000010
【図１０】
0005863543.tif 000011